(57)【要約】      （修正有）【課題】両手を使わず片手で簡単に紙を切断することができるロール状物の保持・切断具を提供する。【解決手段】基底部２と、その基底部２から立ち上がる少なくとも2本の腕３，４を有するロール状物６の保持・切断具１であって、基底部２における腕側の表面は滑り止め部材２１を有し、少なくとも2本の腕のうち1本は取付対象壁５に取り付けられ、残りの少なくとも１本の腕はロール状物の巻き芯が装着され、滑り止め部材２１の硬度はデュロメータ（Ｃタイプ）を用いて測定したとき、Ｃ１３〜Ｃ３５で、そのときの見かけ密度は２５〜４５kg/m3である。【選択図】図１
2016141543.tif 000002
【特許請求の範囲】
【請求項１】
基底部（２）と、その基底部（２）から立ち上がる少なくとも2本の腕（３，４）を有するロール状物（６）の保持・切断具（１）であって、
前記基底部（２）における前記腕（３，４）側の表面は滑り止め部材（２１）を有し、前記少なくとも2本の腕のうち1本の腕（３）は取付対象壁（５）に取り付けられるものであり、残りの少なくとも１本の腕（４）はロール状物（６）が装着されるものであり、
前記滑り止め部材（２１）の硬度はデュロメータ（Ｃタイプ）を用いて測定したとき、Ｃ１３〜Ｃ３５である
ことを特徴とするロール状物の保持・切断具（１）。
【請求項２】
基底部（２）と、その基底部（２）から立ち上がる少なくとも2本の腕（３，４）を有するロール状物（６）の保持・切断具（１）であって、
前記基底部（２）における前記腕（３，４）側の表面は滑り止め部材（２１）を有し、前記少なくとも2本の腕のうち1本の腕（３）は取付対象壁（５）に取り付けられるものであり、残りの少なくとも１本の腕（４）はロール状物（６）が装着されるものであり、
前記滑り止め部材の見かけ密度は２５〜４５ kg/m3である
ことを特徴とするロール状物の保持・切断具。
【請求項３】
前記腕（３，４）は２本であり、1本の腕（３）は取付対象壁（５）に取り付けられ、残りの１本の腕（４）はロール状物（６）が装着されるものである請求項１または２記載の保持・切断具。
【請求項４】
前記ロール状物（６）が装着される前記腕（４）の長さが１５〜３０ｃｍである請求項１〜３のいずれかに記載の保持・切断具。
【発明の詳細な説明】
【技術分野】
【０００１】
本発明はロール状物の保持・切断具（以下、単に「保持・切断具」と略称することがある）に関する。本明細書において「ロール状物」とは、カッターを使用しなくても、人の手により簡単に切断が可能なロール状のものをいうが、カッターと併用することを排除するものではない。具体的には、ロール状の紙類（例えば、ペーパータオル、キッチンペーパー、トイレットペーパー、ロール紙）、ロール状の金属箔（例えば、アルミホイル）、ミシン目で分断が可能なロール状のプラスチックシート類（例えば、ミシン目を介して縦方向に連続するロール状の包装用プラスチック袋）などである。
【背景技術】
【０００２】
この種の保持・切断具として周知であるのは言うまでもなく、トイレットペーパーホルダーであろう。紙を自重により押圧するカバー部と紙を切断するカッター部を備えているものである。
【０００３】
その改良発明である特開２００６―２５９０８によれば、カバー板の前端縁側に、切取られるべき紙を絞って狭窄保持して切断可能な略Ｖ字形スリットを形成した発明が記載されている。この発明によれば、一方の手でカバー板を押さえつつ、他方の手で紙を切断する必要がなくなり、片手だけで前記スリット部において紙を切断することができるようになる、という。しかも、紙の新しい先端は未使用の紙と密着しないので、容易につかむことができる、としている。
【先行技術文献】
【特許文献】
【０００４】
【特許文献１】特開２００６―２５９０８
【発明の概要】
【発明が解決しようとする課題】
【０００５】
本発明も上記従来技術と同様に、しかし、全く別の構成をとることにより、両手を使わず片手で簡単に紙を切断することができるロール状物の保持・切断具を提供することを目的とする。
【課題を解決するための手段】
【０００６】
本発明は、基底部と、その基底部から立ち上がる少なくとも2本の腕を有するロール状物の保持・切断具であって、前記基底部における前記腕側の表面は滑り止め部材を有し、前記少なくとも2本の腕のうち1本は取付対象壁に取り付けられるものであり、残りの少なくとも１本の腕はロール状物が装着されるものであり、前記滑り止め部材の硬度はデュロメータ（Ｃタイプ）を用いて測定したとき、Ｃ１３〜Ｃ３５であることを特徴とする（請求項１）。そのときの見かけ密度は２５〜４５ kg/m3である（請求項２）。
【０００７】
好ましくは、腕は２本であり、1本は取付対象壁に取り付けられ、残りの１本の腕はロール状物が装着されるものである（請求項３）。
【０００８】
好ましくは、ロール状物の巻き芯が装着される腕の長さは１５〜３０ｃｍである（請求項４）。
【発明の効果】
【０００９】
請求項1、２の発明によると、使用者は紙の先端を片手の指でつかみ、ロール状物に対して接線方向に適当な長さを繰り出した後、基底部側に引くだけで、ロール状物はミシン目の部分で切断される。ミシン目がないときでも薄紙であれば引き裂くことができる。ロール状物が基底部側に引かれることによって、ロール状物の側面が基底部の滑り止め部材と摩擦係合するからである。
【００１０】
請求項３の発明によると、腕は２本である。腕が２本あれば、１本は対象壁に取付用であり、１本はロール状物の収容に用いることができるので、十分に目的を達成することができる。この構成は、最も構成が簡単であり、デザイン上もすっきりしたものとなる。ただし、腕を３本以上設けたときは、余った腕は予備のロール状物の収容に用いることができる利点がある。
【００１１】
請求項４の発明によると、少なくともこの程度の長さがあれば、幅の短いトイレットペーパーはもちろん、比較的に幅のあるペーパータオルやキッチンペーパーのロールでも十分安定的に支持できる。
【００１２】
以下、添付の図面に基づき、本発明の１実施例を説明する。
【図面の簡単な説明】
【００１３】
【図１】本発明の１実施例に係る保持・切断具の使用状態を示す斜視図である。
【図２】同保持・切断具の、（ａ）正面図、（ｂ）背面図、（ｃ）平面図、（ｄ）左側面図、（ｅ）右側面図である。
【図３】同保持・切断具の使用法を説明するための斜視図である。
【図４】同保持・切断具の作用効果説明するための図１矢視断面図である。
【図５】同保持・切断具の作用効果説明するための一部断面平面図である。
【発明を実施するための形態】
【００１４】
図１〜３に示すように、本実施例の保持・切断具１は、基底部２と、その基底部の左右端部に位置する長さの異なる２本の腕３，４を有している。短い方の腕３には面ファスナ３１が取り付けられており、取付対象５の壁側面ファスナ５１と接着可能である。長い方の腕４には、ロール状物６がはめまれる。ロール状物６の巻き芯６３は、たんに腕４に差し込まれているだけである。必要があれば、面ファスナの代わりに釘やネジを用いて強固に固定することもできる。
【００１５】
この保持・切断具１は合成樹脂により成形することが好ましいが、木材や金属により成形することも可能である。製造は、全体を射出成型等で一体成形することもできるし、複数のパーツに分けて成形し、最終的にはめ込みや接着剤で一体化させることもできる。
【００１６】
図１、図３では、保持・切断具１は、水平かつ右向きに開口する方向に取り付けられているが、水平かつ左向きでもよいし、垂直かつ上向きでも、斜め上向きでもよい。要は、基底部２が使用者側に向くように設定することである（図３参照）。腕３，４の先端にはストッパとなるものがないので、使用者側に開口するように取り付けたり、下向きに開口するように取り付けたりするのは適当でない。使用者側に開口するように取り付けると、ロール状物６は適切に切断できず、下向きに開口するように取り付けると、ロール状物６は落下してしまうからである。
【００１７】
腕２，３の長さの長短に関しては、多分にデザイン的なものであり、発明の必須要素ではない。ただし、ロール状物６を取り付ける側の腕４の長さは、１５〜３０ｃｍであることが好ましい。平均的なペーパータオルやキッチンペーパーを十分安定的に支持するには１５ｃｍ程度は必要であり、３０ｃｍを超えると通行の妨げになるかもしれないからである。ただし、目的をトイレットペーパーの収容に特化させたときには１０ｃｍ程度でも構わない。
【００１８】
腕２，３の幅は、平均的なペーパータオル、キッチンペーパー、トイレットペーパー等の円筒状巻き芯の円筒直径よりわずかに大きい直径を有することが好ましい。通常、３ｃｍ程度である。
【００１９】
図２（ｅ）に示すように、基底部２の内側にはほぼ全面的に滑り止め部材２１が貼り付けられている。
【００２０】
本実施例の保持・切断具１の使用状態は図３〜５に示されている。使用者は紙の先端を片手の指でつかみ、ロール状物６に対して接線方向に適当な長さを繰り出した後、基底部側（通常は使用者側）に引くだけである。
【００２１】
紙の繰り出し時（第１モード）は、使用者は紙６１をロール状物６に対して接線方向に引くので、ロール状物６は滑り止め部材２１と強く接触せず、スムーズに繰り出すことができる。しかし、紙の切断時（第２モード）は、使用者がロール状物６を基底部側に引くことによって、ロール状物の側面が基底部２の滑り止め部材２１に押し付けられ、摩擦係合する。ロール状物６は回転をやめるので、ロール状物６はミシン目６２の部分で切断される。ミシン目がないときでも薄紙であれば引き裂くことができる。このように使用者の意思による手の使い方だけで２つのモードを簡単に切り替えることができるのである。
【００２２】
ロール状物６の紙が消費されて残量が少なくなれば、側部の面積が減少するので摩擦力が減少すると考えられやすいが、実際にはそのようなことはほとんど起こらない。なぜなら、ロール状物６のうち、滑り止め部材２１に最も強く接触するのは、使用者側（基底部側）にやや傾く円筒状巻き芯６３の部分であり（図５参照）、この部分の接触が大部分の摩擦力を発生させているからである。
【００２３】
ロール状物６の紙送りをスムーズにすると共に切断時に適切な摩擦力を生じさせるためには滑り止め部材２１の材質の選択が重要である。
【００２４】
好ましい滑り止め部材２１を選択するために、本発明者は三和化工株式会社（京都市）製造の4種類（登録商標「サンペルカ」のL-1400, L-2000, L-2500, L4000）の独立気泡ポリエチレン（LDPE）フォームについて実験を行った。結果は次のとおりである。
【００２５】
【表１】
2016141543.tif 000003
【００２６】
この結果から、滑り止め部材２１の好ましい硬度は、デュロメータ（Ｃタイプ）を用いて測定したとき、Ｃ１３〜Ｃ３５であり、より好ましくはＣ１６〜Ｃ３０、最も好ましくはＣ１８〜Ｃ２５である。別の観点では、滑り止め部材２１の好ましい見かけ密度は２５〜４５ kg/m3であり、より好ましくは２７〜４０ kg/m3、最も好ましくは３０〜４０ kg/m3であるといえる。
【００２７】
滑り止め部材２１は、上記範囲の硬度や見かけ密度を生ずるものであれば、その材質を問わない。使用可能な樹脂としては、例えば（メタ）アクリル酸エステル樹脂、エポキシ系樹脂、ウレタン系樹脂、（メタ）アクリル変性ウレタン樹脂、ＥＶＡ系樹脂、ポリオレフィン系樹脂、飽和または不飽和ポリエステル系樹脂、ビニルエステル樹脂、（メタ）アクリル変性ポリエステル樹脂、ウレア・メラミン系樹脂、ゴム系樹脂、もしくは、フェノール系樹脂のうち少なくともいずれか一つを含む樹脂が挙げられる。
【符号の説明】
【００２８】
１     保持・切断具
２     基底部
２１   滑り止め部材
３     腕
３１   面ファスナ
４     腕
５     取付対象壁
５１   壁側面ファスナ
６     ロール状物
６１   紙
６２   ミシン目
６３   巻き芯
【図１】
2016141543.tif 000004
【図２】
2016141543.tif 000005
【図３】
2016141543.tif 000006
【図４】
2016141543.tif 000007
【図５】
2016141543.tif 000008